(57)【要約】【課題】光源の異常、光源の１部分のみの輝度が低下した際、従来の方法では精度よく異常を検出できないという問題があった。【解決手段】複数のセグメントからなる光源からの光を原稿に照射し、前記原稿により反射された光を光電変換して前記原稿の画像を読取る装置で以下の処理を行う。まず、光源を点灯させて白色基準板を読取り、その読取りから得られた輝度値から前記複数のセグメントそれぞれに対応する画素の輝度値の変化量を算出する。次に、その算出された変化量とメモリに格納された基準輝度値との差が予め定められた閾値の範囲内にあるかどうかを判断する。そして、その差が閾値の範囲内にはないと判断された場合、前記光源に点灯異常が発生しているとしてユーザに通知する。【選択図】    図７
2015211346.tif 000002
【特許請求の範囲】
【請求項１】
複数のセグメントからなる光源からの光を原稿に照射し、前記原稿により反射された光を光電変換して前記原稿の画像を読取る画像読取装置であって、
前記原稿が載置される原稿台に設けられる基準部材と、
前記光源を点灯させて前記基準部材又は前記原稿を読取る読取手段と、
前記読取手段により前記基準部材を読取ることにより得られた輝度値から前記複数のセグメントそれぞれに対応する画素の輝度値の変化量を算出する算出手段と、
前記算出手段により算出された変化量と所定の輝度値との差が予め定められた閾値の範囲内にあるかどうかを判断する判断手段と、
前記判断手段により前記差が前記閾値の範囲内にはないと判断された場合、前記光源に点灯異常が発生しているとしてユーザに通知する通知手段とを有することを特徴とする画像読取装置。
【請求項２】
前記基準部材は、前記読取手段に読み取られることによって、前記読取手段の読取信号の利得を設定する白色基準部材であることを特徴とする請求項１に記載の画像読取装置。
【請求項３】
前記光源は複数のＬＥＤを予め定められた方向に配列することで構成され、
前記複数のＬＥＤの予め定められた数のＬＥＤが１つのセグメントを形成することを特徴とする請求項２に記載の画像読取装置。
【請求項４】
前記読取手段は、
前記複数のＬＥＤと、
前記原稿により反射された光を受光して光電変換するラインセンサを含むことを特徴とする請求項３に記載の画像読取装置。
【請求項５】
前記複数のＬＥＤは別々の発光制御が可能な複数の系統のＬＥＤアレイで構成されていることを特徴とする請求項３又は４に記載の画像読取装置。
【請求項６】
前記読取手段により前記複数の系統のＬＥＤアレイを別々に発光制御して、前記白色基準部材を読取るように制御する制御手段をさらに有することを特徴とする請求項５に記載の画像読取装置。
【請求項７】
前記算出手段は、前記複数のセグメントそれぞれの中央付近にあるＬＥＤに対応する画素の輝度値を用いることを特徴とする請求項３乃至６のいずれか１項に記載の画像読取装置。
【請求項８】
前記通知手段は、前記点灯異常の発生を通知するメッセージを表示する表示手段を含むことを特徴とする請求項１乃至７のいずれか１項に記載の画像読取装置。
【請求項９】
前記通知手段は、前記画像読取装置を接続するホストコンピュータに前記点灯異常の発生を通知するメッセージを通知することを特徴とする請求項１乃至７のいずれか１項に記載の画像読取装置。
【請求項１０】
前記判断手段により前記差が前記閾値の範囲内にあると判断された場合、前記読取手段による読取りにより得られた画像データに対してシェーディング補正を行うシェーディング補正手段をさらに有することを特徴とする請求項１乃至９のいずれか１項に記載の画像読取装置。
【請求項１１】
請求項１乃至１０のいずれか１項に記載の画像読取装置と、
前記画像読取装置による原稿の読取により得られた画像データ、又は、接続されるホストコンピュータから受信した画像データに基づいて、記録媒体に画像を形成する画像形成手段とを有することを特徴とする複写装置。
【請求項１２】
複数のセグメントからなる光源からの光を原稿に照射し、前記原稿により反射された光を光電変換して前記原稿の画像を読取る画像読取装置における画像読取方法であって、
前記光源を点灯させて基準部材を読取る読取工程と、
前記読取工程において前記基準部材を読取ることにより得られた輝度値から前記複数のセグメントそれぞれに対応する画素の輝度値の変化量を算出する算出工程と、
前記算出工程において算出された変化量と所定の輝度値との差が予め定められた閾値の範囲内にあるかどうかを判断する判断工程と、
前記判断工程において前記差が前記閾値の範囲内にはないと判断された場合、前記光源に点灯異常が発生しているとしてユーザに通知する通知工程とを有することを特徴とする画像読取方法。
【発明の詳細な説明】
【技術分野】
【０００１】
本発明は画像読取装置、複写装置及び画像読取方法に関する。
【背景技術】
【０００２】
近年、画像読取装置における読取速度の高速化により、読取画像のＳ／Ｎの確保が課題となってきている。Ｓ／Ｎ確保のために読取原稿面の光量を上げる必要があるが、従来の画像読取装置は１系統の光源を有するのみなので、駆動電流、発熱等の制約から所望の光量を得ることができない場合がある。このため、複数系統の光源を搭載した画像読取装置も提案されている。しかしながら、複数系統の光源を有する画像読取装置は、光源に異常が発生する確率も高くなり、これによる光源の不点灯が生じた場合、Ｓ／Ｎの低下やその低下に伴う画像処理回路の誤動作が発生することが懸念されている。   
従来、光源の不点灯等の異常は、所定の閾値レベルに対して光源点灯時の出力レベルが小さいことを検知することで検出されている。光源が１系統の画像読取装置は、光源の点灯／不点灯の検出を比較的容易に行うことが可能である。一方、複数系統の光源を有する画像読取装置における光源の点灯／不点灯、あるいは、光量の低下による異常の検出は容易ではない。  
複数系統の光源を有する画像読取装置における光源の異常検出を可能にした技術として、例えば、特許文献１や特許文献２に記載された技術が知られている。
【０００３】
特許文献１は主走査線上の複数の位置で基準白レベルを検出してその平均値を算出し、複数箇所から検出した白レベルの比率から光源の異常を検出する構成を開示している。また、特許文献２は、主走査線上の基準白レベルのピーク値を検出し、ピーク値が目標値になるように光源の光量を調整し、目標値に調整できない場合に光源が異常であるとする方法を開示している。
【先行技術文献】
【特許文献】
【０００４】
【特許文献１】特開２０００−３９６７９号公報
【特許文献２】特開２００２−３６８９５５号公報
【発明の概要】
【発明が解決しようとする課題】
【０００５】
しかしながら、特許文献１に開示の技術は、主走査方向の全体のレベルが一律低下するような場合に、複数箇所から検出した白レベルの比率からでは異常を検出することができないという問題がある。 
また、特許文献２に開示の技術は、異常検出までに長い時間を要するので、読取性能要求から見て原稿読取毎に検出を行うことができないという問題がある。さらに、特許文献２に開示された方法は基準白レベルのピーク値を利用するので、複数の発光体の合成光量が原稿面光量となる照射系の場合、たとえ光源である発光体の１つが不点灯の場合でも端部のピークレベルはほとんど変化しない。従って、発光体の異常検出を高精度に行うことができないという問題がある。
【０００６】
このように従来からの技術では、複数系統の光源を有する画像読取装置における光源の点灯／不点灯、あるいは、光量の低下による異常の検出を行うことが困難であり、且つ異常検出を精度良く行うことができないという問題がある。
【０００７】
本発明は上記従来例に鑑みてなされたもので、光源の不点灯、或いは光量の低下による点灯異常を精度良く検出可能な画像読取装置、複写装置、及び画像読取方法を提供することを目的としている。
【課題を解決するための手段】
【０００８】
上記目的を達成するために本発明の画像読取装置は、次のような構成からなる。
【０００９】
即ち、複数のセグメントからなる光源からの光を原稿に照射し、前記原稿により反射された光を光電変換して前記原稿の画像を読取る画像読取装置であって、前記原稿が載置される原稿台に設けられる基準部材と、前記光源を点灯させて前記基準部材又は前記原稿を読取る読取手段と、前記読取手段により前記基準部材を読取ることにより得られた輝度値から前記複数のセグメントそれぞれに対応する画素の輝度値の変化量を算出する算出手段と、前記算出手段により算出された変化量と所定の輝度値との差が予め定められた閾値の範囲内にあるかどうかを判断する判断手段と、前記判断手段により前記差が前記閾値の範囲内にはないと判断された場合、前記光源に点灯異常が発生しているとしてユーザに通知する通知手段とを有することを特徴とする。
【００１０】
また本発明を別の側面から見れば、上記構成の画像読取装置と、前記画像読取装置による原稿の読取により得られた画像データ、又は、接続されるホストコンピュータから受信した画像データに基づいて、記録媒体に画像を形成する画像形成手段とを有することを特徴とする複写装置を備える。
【００１１】
さらに本発明を別の側面から見れば、複数のセグメントからなる光源からの光を原稿に照射し、前記原稿により反射された光を光電変換して前記原稿の画像を読取る画像読取装置における画像読取方法であって、前記光源を点灯させて基準部材を読取る読取工程と、前記読取工程において前記基準部材を読取ることにより得られた輝度値から前記複数のセグメントそれぞれに対応する画素の輝度値の変化量を算出する算出工程と、前記算出工程において算出された変化量と所定の輝度値との差が予め定められた閾値の範囲内にあるかどうかを判断する判断工程と、前記判断工程において前記差が前記閾値の範囲内にはないと判断された場合、前記光源に点灯異常が発生しているとしてユーザに通知する通知工程とを有することを特徴とする画像読取方法を備える。
【発明の効果】
【００１２】
従って本発明によれば、光源の複数のセグメント毎に対応する基準部材を読取って得られた輝度値の変化量が基準値から大幅にずれているかどうかを判断することにより、光源に異常が発生しているかどうかを知ることができる。
【００１３】
これにより、たとえ、光源の光量が全体的に低下している場合でも光源の点灯異常を精度良く検出することができる。また、光源の複数のセグメント毎に輝度値の変化量を検出するので、その算出や判断を高速に行うことができる。
【図面の簡単な説明】
【００１４】
【図１】本発明の代表的な実施例である複写装置の概略構成を示すブロック図である。
【図２】操作部の上面図である。
【図３】画像読取部の内部構成を示す側断面図である。
【図４】画像読取ユニットを上方から見た図である。
【図５】照明部材を上部から見た時の概略構成図である。
【図６】複写装置における画像読取に関連する各機能を説明するための機能ブロック図である。
【図７】画像読取処理の概要を示すフローチャートである。
【図８】ステップＳ１０３における読取輝度値分布算出処理の詳細を示すフローチャートである。
【図９】読み出された輝度値の主走査方向の変化を示す図である。
【発明を実施するための形態】
【００１５】
以下添付図面を参照して本発明の好適な実施例について、さらに具体的かつ詳細に説明する。なお、既に説明した部分には同一符号を付し重複説明を省略する。
【００１６】
なお、この明細書において、「記録」（「プリント」という場合もある）とは、文字、図形等有意の情報を形成する場合のみならず、有意無意を問わない。また人間が視覚で知覚し得るように顕在化したものであるか否かを問わず、広く記録媒体上に画像、模様、パターン等を形成する、または媒体の加工を行う場合も表すものとする。
【００１７】
図１は本発明の代表的な実施例である複写装置の全体構成を示すブロック図である。
【００１８】
複写装置１００は、図１に示すように、画像読取部（画像入力部）２００と画像形成部３００と制御部１１０と操作部１５０とを備えている。画像読取部２００は原稿画像を光学的に読み取ることで生成された画像信号を画像データに変換する。画像読取装置２００は、原稿を読取るための画像読取ユニット（スキャナユニット）２１０と原稿を搬送するための自動原稿供給ユニット（ＡＤＦ）２５０とを有している。
【００１９】
画像形成部（画像出力装置）３００は、シート状の記録媒体、例えば、記録紙を給紙搬送し、その記録紙上に画像データに基づいて可視画像を形成して装置外に排出する。そのため、画像形成部３００は、複数種の記録紙カセットを有する給紙ユニット３６０と画像データに基づいて画像を記録紙に転写、定着するマーキングユニット３２０と記録紙を装置外へ排紙するための排紙ユニット３３０とフィニッシャ５００とを有している。なお、フィニッシャ５００は、ステープル処理とソート処理が実行可能な構成であるが、これはオプションの構成である。なお、この実施例におけるマーキングユニット３２０は電子写真方式に従って画像形成を行うプリンタエンジンを有しているが、他の方式、例えば、インクジェット方式に従って画像形成を行うプリンタエンジンを用いても良い。
【００２０】
制御部１１０は、画像読取部２００と画像形成部３００と電気的に接続している。また、制御部１１０は、ネットワーク、例えば、ＬＡＮ７００を介して、ホストコンピュータ（ＰＣ）７０１、７０２に接続される。また、制御部１１０は、通信回線１２８を介してファクシミリ送受信を行うためのモデム（不図示）を内蔵している。
【００２１】
複写装置１００は、制御部１１０により画像読取部２００と画像形成部３００とを制御して、記録紙に原稿の画像を複写する複写（コピー）機能を備えている。この複写機能は、画像読取部２００により画像原稿を読取って画像データを生成し、画像形成部３００で原稿読取により得られた画像データに基づいて記録紙に画像を形成してに出力するものである。
【００２２】
また複写装置１００は、制御部１１０の制御により、画像読取部２００から得られた画像データをＬＡＮ７００を介してホストコンピュータ７０１、７０２へ送信するスキャナ機能も備えている。さらに、複写装置１００は、制御部１１０の制御により、ホストコンピュータ７０１，７０２からＬＡＮ７００を介して受信した画像データを受信し、画像形成部３００がその画像データに基づいて記録紙に画像を形成し出力するプリンタ機能も備えている。
【００２３】
制御部１１０には操作部１５０が接続されている。従って、ユーザは操作部１５０を介して複写装置１００を操作することができる。
【００２４】
図２は操作部１５０の上面図である。
【００２５】
図２に示されるように、操作部１５０は、例えば、液晶タッチパネルなどのディスプレイを備え、複写装置１００を操作するユーザとのＩ／Ｆ（インタフェース）の役目を果たしている。
【００２６】
操作部１５０は、図２に示すように、主なモード設定、状況表示を行うためのＬＣＤタッチパネル６００と、キー６０１〜６０８、６１０〜６１５と、（ソフト）電源スイッチ６０９と、ＬＥＤ６１６〜６１８とが設けられている。
【００２７】
キー６０１は０〜９までの数値を入力するためのテンキーである。キー６０２は装置が部門管理されている場合に部門番号と暗証モードとを入力する際に使用されるＩＤキーである。キー６０３は設定されたモードをリセットするためのリセットキーである。キー６０４は各モードについての説明画面を表示するためのガイドキーである。キー６０５はユーザモード画面に入るためのユーザモードキーである。キー６０６は割り込みコピーを行うためのキーである。キー６０７は複写（コピー）動作をスタートさせるためのキーである。キー６０８は実行中のコピージョブを中止させるためのキーである。
【００２８】
ソフト電源スイッチ６０９は複写装置を低電力状態にするためのスイッチである。ソフト電源スイッチ６０９がユーザによって押下されると、ＬＣＤタッチパネル６００のバックライトは消灯し、複写装置は低電力状態に移行する。キー６１０は節電キーである。節電キーがユーザによって押下されると、複写装置が節電状態になり、再度押されると、節電状態から復帰する。
【００２９】
ファンクションキー６１１〜６１３はそれぞれ、コピー、ボックス、拡張機能に移行させるためのキーである。
【００３０】
図２に示されているＬＣＤタッチパネル６００は、ユーザがファンクションキー６１１を押したときの標準画面であり、ユーザが他のファンクションキー６１２，６１３を押すと、各キーに対応した機能の標準画面に変わるようになっている。キー６１４はＬＣＤタッチパネル６００のコントラストを調整するための調整キーである。キー６１５はカウンタ確認キーであり、ユーザがキー６１４を押下すると、それまでに使用したコピーの集計枚数を表示するカウント画面がＬＣＤタッチパネル６００に表示される。
【００３１】
ＬＥＤ６１６は、ジョブの実行中、画像メモリへの画像蓄積中を示すＬＥＤである。ＬＥＤ６１７は、ジャム、ドアオープンなど、装置がエラー状態にあることを示すＬＥＤである。ＬＥＤ６１８は装置のメインスイッチがＯＮになっていることを示す電源ＬＥＤである。
【００３２】
図３は画像読取部２００の内部構成を示す側断面図である。
【００３３】
図３に示されるように、原稿台ガラス１０２の原稿載置面とは反対側にに貼り付けられ白色基準板１０１が、出力画像信号の異常を検出するための白基準データを生成するために備えられている。また、自動原稿供給ユニット（ＡＤＦ）２５０から給送された原稿を読取るために画像流し読みガラス１０３が備えられている。原稿台ガラス１０２上に原稿を載置する基準となる原稿突き当て部１０４は、原稿台ガラス１０２の画像流し読みガラス１０３側に配置されている。原稿台ガラス１０２と画像流し読みガラス１０３とは受け台１０５により画像読取部２００に固定される。
【００３４】
また、画像読取部２００の内部には、レール１０６に沿ってＹ方向にスライド可能に設けられた画像読取ユニット２１０が備えら得る。なお、Ｙ方向を副走査方向という。
【００３５】
画像読取ユニット２１０は、原稿を照明する光源としての照明部材２１０−ａ、複数のミラー２１０−ｂ及び結像レンズ２１０−ｃによって構成された光学系２１０−ｄ、ラインセンサ２１０−ｅで構成される。照明部材２１０−ａから照射され原稿で反射した光は、光学系２１０−ｄを介してラインセンサ２１０−ｅで受光、結像され、原稿上の画像が光電変換されて画像信号が生成されるようになっている。この実施例では、ラインセンサ２１０−ｅとしてＣＣＤラインセンサを用いている。
【００３６】
図４は画像読取ユニット２１０を上方から見た図である。
【００３７】
図４に示されるように、画像読取ユニット２１０にはミラー２１０−ｂに対して光を導く開口部２１０−ｉを挟んで２系統の照明部材２１０−ａが設けられる。照明部材２１０−ａはそれぞれ、複数のＬＥＤを列状にＸ方向に配列してライン光源を構成している。また、画像読取ユニット２１０の側面にはラインセンサ２１０−ｅが設けられている。照明部材２１０−ａやラインセンサ２１０−ｅを駆動するための電流はケーブル２１０−ｇを介して供給される。なお、Ｘ方向を主走査方向という。また、主走査方向と副走査方向とは互いに直交する。
【００３８】
図５は照明部材２１０を上部から見た時の概略構成図である。
【００３９】
１系統の照明部材２１０−ａは、２４個のＬＥＤチップ２１０−ｈ１〜ＬＥＤチップ２１０-ｈ２４（以下、一般にはＬＥＤチップ２１０-ｈｎ）からなり、ＬＥＤチップ２１０−ｈｎが発光することにより原稿を照明する。各ＬＥＤチップ２１０−ｈｎは照射制御部２１０−ｊから電流を供給され発光する。また、照射制御部２１０−ｊは各ＬＥＤチップ２１０−ｈｎが同じ電流で駆動するように電流の定電流制御を行なっている。
【００４０】
この実施例では、２４個のＬＥＤチップ２１０−ｈｎを６個ずつ直列に接続したセグメント単位で定電流制御を行う。４つのＬＥＤセグメントをそれぞれ、２１０−ｋ、２１０−ｌ、２１０−ｍ、２１０−ｎとする。
【００４１】
図６は複写装置１００における画像読取に関連する各機能を説明するための機能ブロック図である。
【００４２】
ＣＣＤラインセンサを備えた画像読取ユニット２１０で生成されたアナログ画像信号は利得制御アンプ２０２よって利得が制御され、利得制御アンプ２０２から出力される利得調整された画像信号がＡ／Ｄ変換器２０３によってデジタル画像信号に変換される。そして、そのデジタル画像信号は画像データとして画像メモリ２０７に一時的に記憶される。
【００４３】
一方、ＣＰＵ１２０は画像メモリ２０７に記憶されている画像データを読出し、主走査方向の輝度分布値を算出し、これを基準輝度分布値メモリ２０８に格納されている基準輝度分布値とを比較する。そして、その比較結果は、操作部１５０のＬＣＤタッチパネル６００に表示される。
【００４４】
また、Ａ／Ｄ変換器２０３から出力される画像データはシェーディング補正回路２０４でシェーディング補正され、シェーディング補正された画像データは画像処理回路２０５において画像処理され、出力部２０６より出力される。
【００４５】
次に、以上の構成の複写装置が実行する画像読取処理について、フローチャートを参照して説明する。
【００４６】
図７は画像読取処理の概要を示すフローチャートである。
【００４７】
先ず、ステップＳ１０１では画像読取ユニット２１０を白色基準板１０１の直下に移動させ、白色基準板１０１を読取る。そして、その読取りによってラインセンサ２１０−ｅから出力される画像信号は利得制御アンプ２０２で利得１倍で利得調整され、さらにＡ／Ｄ変換器２０３によりデジタル画像信号に変換される。ステップＳ１０２では、そのデジタル画像信号を画像データとして画像メモリ２０７に格納する。ここで、格納される画像データは各画素の輝度値データである。
【００４８】
さらに、ステップＳ１０３ではＣＰＵ１２０は画像メモリ２０７に格納された輝度値データより上述した４つのＬＥＤセグメント２１０−ｋ〜ｎに対応した画素の輝度値を読出し、これらの輝度値を元に読取輝度分布値を算出する。
【００４９】
図８はステップＳ１０３における読取輝度値分布算出処理の詳細を示すフローチャートである。
【００５０】
まず、ステップＳ２０１では画像メモリ２０７より格納されている輝度値データを読み出す。
【００５１】
図９は読み出された輝度値の主走査方向の変化を示す図である。
【００５２】
図９には、主走査方向に配置される４つのＬＥＤセグメント２１０−ｋ〜ｎが合わせて示されており、各ＬＥＤセグメントの中央付近の画素に対応した４つの輝度値が読み出される。図９では、これら４つのＬＥＤセグメントに対応した輝度値をＡｓ，Ｂｓ，Ｃｓ，Ｄｓとして示している。
【００５３】
次に、ステップＳ２０２〜Ｓ２０５では、ＡｓとＢｓとの間の輝度値の変化、ＢｓとＣｓとの間の輝度値の変化、ＣｓとＤｓとの間の輝度値の変化、ＤｓとＡｓとの間の輝度値の変化をそれぞれ算出する。そして、これらの変化量をＡｘ，Ｂｘ，Ｃｘ，Ｄｘとする。さらに、ＣＰＵ１２０は基準輝度分布値メモリ２０８に格納された比較基準となる基準輝度分布値Ａｙ，Ｂｙ，Ｃｙ，Ｄｙを読出し、ステップＳ２０６〜Ｓ２０９では、これらと算出した変化量との差を算出する。なお、基準輝度分布値Ａｙ，Ｂｙ，Ｃｙ，Ｄｙはそれぞれ、４つのＬＥＤセグメントの中央付近の画素に対応した基準輝度の変化量である。従って、変化量Ａｘ，Ｂｘ，Ｃｘ，Ｄｘと基準輝度分布値Ａｙ，Ｂｙ，Ｃｙ，Ｄｙとはそれぞれ、主走査方向の画素の位置が同じ位置に対応する。
【００５４】
このようにして、ＬＥＤセグメント間での輝度値の変化が基準輝度の分布と比べて、どのくらいずれているのかを知ることができる。白色基準値を読取って得られた輝度値の基準輝度値からのずれ量をＡ，Ｂ，Ｃ，Ｄとする。
【００５５】
図７に戻って説明を続けると、ステップＳ１０４ではずれ量Ａ，Ｂ，Ｃ，Ｄが予め定められた範囲のずれであるかどうかを調べるために所定の閾値と比較する。そして、ステップＳ１０５では、ずれ量（ＤＶ）と所定の閾値との差が所定の範囲内（仮に２０レベルとする）かどうかを判断する。
【００５６】
ここで、そのずれ量（ＤＶ）が所定の範囲内でないと判断された場合、処理はステップＳ１０７に進み、光源に点灯異常が発生していると判断し、さらに、ステップＳ１０８では、光源の点灯異常の発生をメッセージとしてＬＣＤタッチパネル６００に表示する。なお、この表示ではＬＥＤセグメント単位に点灯異常を知らせるようにすることもできる。
【００５７】
これに対して、そのずれ量（ＤＶ）が所定の範囲内であると判断された場合、処理はステップＳ１０７に進み、シェーディング補正処理を実行する。
【００５８】
従って以上説明した実施例に従えば、白色基準板を読取ったときに得られた輝度値の分布が基準値から大幅にずれているかどうかを判断することにより、光源に異常が発生しているかどうかを知ることができる。特に、複数のＬＥＤセグメントの中央付近に対応する画素の輝度値を代表値として用いるので、全ての画素の輝度値を用いる場合と比べて処理や判断を高速に行うことができる。さらに、複数のＬＥＤセグメントの代表値の間の変化量を用いることで、白色基準値を読取って得られた輝度値のレベルが全体的に低下している場合でも、その異常を検出することができる。
【００５９】
このようにして以上説明した実施例では、より高精度に点灯異常の検出を行うことが可能になる。
【００６０】
なお以上説明した実施例では、ＬＣＤタッチパネルにメッセージを表示することでユーザに通知する例について説明したが本発明はこれによって限定されるものではない。例えば、ユーザがスキャナ機能を利用してＰＣに画像データを取り込もうとしている場合には、接続されているＰＣに光源の異常を通知するメッセージを送信しても良い。
【００６１】
また以上説明した実施例では、特に、系統別のＬＥＤ発光制御については説明しなかったが図４に示すように２系統の照明部材、即ち、２系統のＬＥＤアレイを備える場合には、２つの系統別々にＬＥＤアレイを駆動させて発光させ上述の処理を行っても良い。このようにすることで、各系統の異常点灯を検出することができる。また、系統の数が３以上でも良いことは言うまでもない。
【図１】
2015211346.tif 000003
【図２】
2015211346.tif 000004
【図３】
2015211346.tif 000005
【図４】
2015211346.tif 000006
【図５】
2015211346.tif 000007
【図６】
2015211346.tif 000008
【図７】
2015211346.tif 000009
【図８】
2015211346.tif 000010
【図９】
2015211346.tif 000011